Podtech/llm-jp-corpus-v4-ja_patent huggingface dataset:
(57)【要約】      （修正有）【課題】パーマやトリートメントの際に、液体が顔に濡れないようにすることができ、操作性や実用性を有するターバンを提供する。【解決手段】タオル地を長辺に添って３つ折りに縫製し、上下端縁を一定間隔に縫製する。【選択図】図１
0003171078.tif 000002
【実用新案登録請求の範囲】
【請求項１】
タオル地の長辺に添って三分の一ずつに３つ折に縫製したタオル地と、さらに前記タオル地の上下端縁を一定間隔に縫製してなる縫製部分とを設けたことを特徴とするパーマ・ターバン。
【請求項２】
前記タオル地の上下端縁を一定間隔に縫製してなる縫製部分の一定間隔は、頭部及び、顔周りの骨格の凹凸に合わせる長さであることを特徴とする請求項１記載のパーマ・ターバン。
【考案の詳細な説明】
【技術分野】
【０００１】
本発案は、美容室や理容室及び家庭でも、パーマやトリートメントなど、液体をかける際に液体が顔などに液漏れしない様に、しかも幅がより細く、縫い付けの間隔などにより水分などの吸収性を高め、同時に、操作性やコストを含めた実用性を備えたパーマ用ターバンに関するものである。
【背景技術】
【０００２】
美容室や理容室及び、家庭でのパーマやトリートメントをする際に、通常は一般的なタオルなどを縦に適当に折り使用しており、折りまとめる技能修練が求められる物でした。または、専用な伸縮性のあるものも市場に存在しておりますが、余計な隙間が出来、その他マジックテープ（登録商標）等の場合も必要のない厚みや隙間に加えて、洗濯時に繊維を不意に引っ掛け障害を高め、使い捨てにしても高価なわりには操作実用性が困難であった。
【考案の概要】
【考案が解決しようとする課題】
【０００３】
イ）これまで、タオルでの使用ではタオルの幅が広く額や目、または、耳などへ、かなりの圧迫感があった。                                                              
ロ）タオル交換や実用時において、わずかなすき間から液体が漏れたり、特にお化粧などが消えたりして、不快な部分が多々ありました。  
したがって、使用者からも提案急務な状況だった。本考案は、このような問題を解決するためなされたものである。
【課題を解決するための手段】
【０００４】
タオルを長編に添って３つ折りに縫製した方法により、後頭部から富士額（額の頭頂部）まで密着度が増し、すき間が減少するためパーマやトリートメントなどの液漏れ防止となるようにした。
【考案の効果】
【０００５】
これまで、美容室や理容室及び家庭でも、パーマやトリートメントなど、液体をかける際に、特に女性のメーク崩れに負担をかけていた事、使用者の熟練操作性に指導修練時間がかかった事、一般タオル無分別での薬剤残臭が完全分別解消し、効率良く安価に解決出来る物である。
【図面の簡単な説明】
【０００６】
【図１】図１は本発案に係わるパーマ・ターバンの斜視図である。
【図２】図２は本発案に係わるパーマ・ターバンの装着例を示す図である。
【図３】図３は本発案の  内側肌接触面裏面と外側縫製表面を示した斜視図である。
【図４】図４は本発案を作成する縫製方法を示した斜視図である。
【考案を実施するための形態】
【０００７】
タオルを２つ折に縫製し（タオル下部端縁  図４  １a ）、さらに２つ折下部端縁（図４  １b´）をタオル上部端縁（図４  １b）へ縫製し３重の厚みを作り、３つ折り状態で縫製する。したがって、タオル内部は、筒状に形成される（図４  ２d）  （図４  ４   ３つ折断面図）。
【０００８】
また、さらに、前記３つ折り状態に縫製した下部端縁（図４  ３ｆ´）と上部端縁（図４  ３e´）を一定間隔に縫製する（図４  ３e）。なお、前記一定間隔は、頭部及び、顔周りの骨格の凹凸に合わせた長さである。具体的には、１２ｃｍから１５ｃｍ間隔に縫製することが好ましい。さらに、１３ｃｍ間隔で縫製することがより好ましい。前記間隔（図３  ３f ）を設けることより、内側肌接触面（図３  ５ｈ´）を後頭部から富士額（額の頭頂部）まで装着可能とし、タオルの内側にたるみ部分（図３  ５ｇ ）を作る。また、外側縫製表面（図３  ６i´）が後頭部から富士額（額の頭頂部）まで密着度が増し隙間が減少するためパーマやトリートメントなどの液漏れ防止となる（図２）。  
以上とするパーマ・ターバンである。
【符号の説明】
【０００９】
１a    タオル下部端縁
１b    タオル上部端縁
１a´  ２つ折縫製線
１b´  ２つ折下部端縁
１c    ２つ折幅
２d    筒状
３e    上下端縁縫製部分
３f    上下端縁縫製間隔
３e´  上部端縁
３ｆ´ 下部端縁
４     ３つ折断面図
５h´  内側肌接触面裏面
５g    たるみ部分
６i´  外側縫製表面
【図１】
0003171078.tif 000003
【図２】
0003171078.tif 000004
【図３】
0003171078.tif 000005
【図４】
0003171078.tif 000006
(57)【要約】      （修正有）【課題】商用交流電源ラインに重畳する高調波ノイズ等のため、オーディオ機器などのＳ／Ｎを悪化させ音質に悪影響を与えることのない、高調波ノイズ除去装置を提供する。【解決手段】商用交流電源を入力する入力端子に接続された電力線３の外周に複数個の永久磁石７を配置し、該電力線が出力端子に接続され、上記電力線と永久磁石をケース内に収納し、該ケース内に粉末電気石を充填し、商用交流電源に重畳された高周波ノイズを除去する。【選択図】図１
0003171024.tif 000002
【実用新案登録請求の範囲】
【請求項１】
商用交流電源を入力する入力端子に接続された電力線の外周に複数個の永久磁石を配置し、該電力線が出力端子に接続され、上記電力線と永久磁石をケース内に収納し、該ケース内に粉末電気石を充填し、商用交流電源に重畳された高周波ノイズを除去することを特徴とする、高調波ノイズ除去装置。
【請求項２】
前記電力線１と電力線２の長手方向の外周に、複数個の棒状の永久磁石５を、絶縁樹脂６で固定した円筒形永久磁石集合体を配置したことを特徴とする請求項１に記載の高調波ノイズ除去装置。
【考案の詳細な説明】
【技術分野】
【０００１】  本考案は商用交流電源ラインに重畳する高調波ノイズを除去するための装置である。
【背景技術】
【０００２】  民生機器のＤＣ電源をつくるため、従来はトランスで電圧を落とし整流する方式をとっていたが、昨今は輸出にともない機器の重量削減とスイッチング半導体の進化にともない、１００Ｖを直接ダイオードで整流しＤＣ−ＤＣコンバターで必要な電圧を得るラインオペレーション方式が主流になってきた、例ＣＴＶ、ＤＶＤ、ブルーレイ、ＡＣアダプター、パソコン等。【０００３】  また、民間のソーラー発電設備の急激な増加と、電力会社の余剰電力購入にともない発電されたＤＣを交流に変換するＤＣ−ＡＣインバータが増加、これらにより、商用交流電源を直接ダイオード整流するため、この時に発生する高調波ノイズが商用電源ラインに重畳、増加の一途をたどっている。商用交流電源ラインに重畳する高調波ノイズはオーディオシステム等に影響を与えている、かかる現象に全く対応されていないのが現状である。【０００４】  これらの高調波の解決方法として、アイソレーショントランス、ノイズカットトランス、コンデンサ、コイルを利用したノイズフィルターなどがでまわっているが、トランスのコアの特性が向上しているので、高周波特性が改善され、結果的には、高周波ノイズカットが不十分である。また、トランスを使うことで巻き線の電力損失の影響が出てくる。コンデンサ、コイルを利用したノイズフィルターもノイズ除去と本電流のバランスが難しく、ノイズ除去の完全なものが出来ていない。これらは、いずれもノイズ除去をすると商用交流電源ラインの電流が細くなり、オーディオ機器の再生音が小さくなってしまう等の問題がある。
【先行技術文献】
【特許文献】
【０００５】
【特許文献】特開２００３−３２４９７０号公報（第８図）
【考案の概要】
【考案が解決しようとする課題】
【０００６】  上記のような商用交流電源ラインに重畳する高調波ノイズを除去するための従来装置では主電流自体を細くしてしまい、また、高調波ノイズ自体の除去も中途半端になり、ノイズの含まれた交流を整流するため、直流に重畳、オーディオ機器などのＳ／Ｎに悪影響を与える原因になっている。【０００７】  本願考案の目的は、商用交流電源に重畳される高調波ノイズを除去する装置を提供することにある。
【課題を解決するための手段】
【０００８】  前記目的を達成するために、請求項１に記載の本願考案は、商用交流電源を入力する入力端子に接続された電力線の外周に複数個の永久磁石を配置し、該電力線が出力端子に接続され、上記電力線と永久磁石をケース内に収納し、該ケース内に粉末電気石を充填し、商用交流電源に重畳された高周波ノイズを除去することを特徴とする、高調波ノイズ除去装置。【０００９】  請求項２に記載の本願考案は、前記電力線１と電力線２の長手方向の外周に、複数個の棒状の永久磁石５を、絶縁樹脂６で固定した円筒形永久磁石集合体を配置したことを特徴とする請求項１に記載の高調波ノイズ除去装置。
【考案の効果】
【００１０】本願考案のノイズ除去効果は、安定した磁界と電気石採用に、さらに電力線の短さが影響し、電気的ロスが少なく、尚且つ従来品のノイズ除去効果よりもさらに３０％も少ない驚異的な結果の残せた、オーディオ装置の聴感上では圧倒的な差を感じることが出来た。図４に従来技術との比較データーをしめす。【００１１】図４に示す他社製ノイズとは、従来技術によるノイズ除去後のノイズ波形である。同図の本願考案ノイズは、本願考案の技術によるノイズ除去後の波形である。このように、本願考案の効果は従来のものよりもさらに３０％の低減を図ることができた。
【図面の簡単な説明】
【００１２】
【図１】本考案の構成図
【図２】本考案に使用される円筒形永久磁石集合体
【図３】本考案装置の外観図
【図４】本考案と従来技術とのノイズ低減比較図
【考案を実施するための最良の形態】
【００１３】本願考案の実施形態を図１、図２、図３で説明する。商用交流電源１に接続する入力端子２と、本装置の出力端子８を１個若しくは２個備える。入力端子２と出力端子８の間には電力線３とアース線４を接続する。電力線３は図２に示す円筒形永久磁石集合体７の中心部を貫通させる。なお、アース線４には円筒形永久磁石集合体７は配置しない。【００１４】次に、図３に示すケース９に入力端子２と出力端子８をケースの外側に配置し、ケースの中には、電力線３、アース線４、円筒形永久磁石集合体７を収納する。ケースの内側の空間部には、電気石を砕石した微粉末を充填し、ケースに蓋をして密閉する。【００１５】本装置の使用に際しては、商用交流電源を端子２に入力し、出力端子８には、各種の電気製品、例えばオーディオ装置を接続する。
【実施例】
【００１６】電力線３は．負荷電流の大きさに応じて、直径約１〜３ｍｍの銅線。円筒形永久磁石集合体７の構成は次の通り構成する。永久磁石５は柱状で、極性は一方端をＮ極に、他方端をＳ極に揃えて複数本同心円状に配置し、樹脂等で固定する。中心部は電力線が貫通する分の空洞部を形成しておく。【００１７】上記、円筒形永久磁石集合体７の中心部の空洞部に、電力線３を通す。アース線４には円筒形永久磁石集合体７を付けない。
ケース９は、例えばアルミ板で構成し、６面部の一部を蓋体で密閉できる構造とする。電力線３、アース線４、円筒形永久磁石集合体７を其々配置したら、ケース内の空間部に、電気石を砕石した微粉末を充填し蓋体で密閉する。
【符号の説明】
【００１８】１商用交流電源
２商用交流電源入力端子
３電力線
４アース線
５永久磁石
６樹脂
７円筒形永久磁石集合体
８商用交流電源出力端子
９ケース
１０電気石微粉末
１１電気製品
【図１】
0003171024.tif 000003
【図２】
0003171024.tif 000004
【図３】
0003171024.tif 000005
【図４】
0003171024.tif 000006
(57)【要約】      （修正有）【課題】特定の通話時間内に通話を終了させたい携帯電話等の使用者に、携帯電話と一緒に持ち運びしやすく、任意のタイミングで通話時間を計測開始でき、定められた時間を通知することができるタイマーストラップを提供する。【解決手段】あらかじめ製造時に設定された時間を携帯電話等の使用者が任意のタイミングで計測開始することができ、カウントダウンまたはカウントアップにより変化していく時間を装置の画面に表示し、時間が近づくと音や振動により使用者に通知するタイマーを携帯電話等のストラップに取り付けて、携帯電話等用のタイマーストラップを形成する。【選択図】図１
0003171006.tif 000002
【実用新案登録請求の範囲】
【請求項１】
あらかじめ製造時に設定された時間を携帯電話等の使用者が任意のタイミングで計測開始することができ、カウントダウンまたはカウントアップにより変化していく時間を装置の画面に表示し、時間が近づくと音や振動により使用者に通知するタイマー機能を持つ携帯電話等のストラップ。
【請求項２】
あらかじめ製造時に時間を設定することで、計測開始及び計測終了の２つの機能を備えた１つのボタンのみというシンプルで扱いやすい構造を特徴とした携帯電話等のタイマーストラップ。
【考案の詳細な説明】
【技術分野】
【０００１】  本考案は、携帯電話・ＰＨＳ・スマートフォン（以下、携帯電話等）の通話時間を使用者に通知するためのストラップに関するものである。
【背景技術】
【０００２】  従来、携帯電話等の通話時間を使用者が知る手段は、時計や携帯電話等の画面表示でしかなく、特定の通話時間内に通話を終了させたい使用者にとっては不十分であった。
【考案の概要】
【考案が解決しようとする課題】
【０００３】  解決しようとする問題点は、携帯電話等の使用者に対して、通話時間の終了を通知する専用の道具がない点である。
【課題を解決するための手段】
【０００４】  本考案は、定められた時間を計測するタイマーを携帯電話等のストラップにすることにより、使用者はいつでも通話を開始した任意のタイミングでタイマーを作動させることができ、定められた時間が近づくと音や振動により通話時間の終了を知らせる事で課題を解決する。
【考案の効果】
【０００５】  本考案は、定められた時間を計測するタイマーを携帯電話等の通話時間を計測する専用の装置とするため、携帯電話等のストラップとした。これにより携帯電話等と一体化して持ち運ぶことができる利点がある。
【図面の簡単な説明】
【０００６】
【図１】図１はタイマーストラップの説明図である。
【考案を実施するための形態】
【０００７】  携帯電話等の通話時間を計測する専用の装置とするため、携帯電話等のストラップとした。
【実施例】
【０００８】  タイマーストラップには製造時にあらかじめ定められた時間が設定されており、通常のキッチンタイマーなどのように、使用者が自分で計測時間を設定する必要はない。【０００９】  上記［０００８］により、本考案のタイマーストラップは複数のボタンを必要とせず、計測開始及び計測終了の２つの機能を有する、１つのボタンのみで構成されることを特徴とする。【００１０】  タイマーストラップは定められた時間を確認できる画面を備えており、タイマーを計測開始させると、カウントダウンあるいはカウントアップによって、定められた時間までを計測し画面表示する。【００１１】  定められた時間が近づくと、タイマーストラップは音や振動を発することで使用者に通知する。
【符号の説明】
【００１２】  １    タイマーストラップ本体
２    計測開始及び計測終了機能ボタン
【図１】
0003171006.tif 000003
(57)【要約】      （修正有）【課題】丈夫で手に対するフィット感がよく、且つ作業性のよい手袋を提供する。【解決手段】手袋１０は、それぞれが分離された５本の指を個別に挿入可能な指挿入部１１〜１５と、指挿入部の下部に設けられた胴部１６とを含み、ポリエチレンを用いて製造されている。【選択図】図１
0003171004.tif 000002
【実用新案登録請求の範囲】
【請求項１】
それぞれが分離された５本の指を個別に挿入可能な指挿入部と、
指挿入部の下部に設けられた胴部とを含み、
特殊配合されたポリエチレンを用いて製造されている、手袋。
【請求項２】
手袋の手触りはシルクタッチである、請求項１に記載の手袋。
【請求項３】
手袋は伸縮性がよい、請求項１又は２に記載の手袋。
【請求項４】
前記指挿入部のうちの、親指挿入部と人差し指挿入部とのなす形状はＬ字状である、請求項１〜３のいずれかに記載の手袋。
【考案の詳細な説明】
【技術分野】
【０００１】
この考案は手袋に関し、特に、収縮性がよく、手にフィットする手袋に関する。
【背景技術】
【０００２】
従来の手袋が、例えば、特開平０２−５０４１７２号公報（特許文献）に開示されている。この公報によれば、前面シートと後面シートとを含み、シートの少なくとも一方がポリマーフィルムで作られた内部層および外部層よりなり、この層が相互に接続されて手袋が製造されている。
【先行技術文献】
【特許文献】
【０００３】
【特許文献１】特開平０２−５０４１７２号公報
【考案の概要】
【考案が解決しようとする課題】
【０００４】
従来の手袋は上記のように構成されていた。従来の２枚のシートを接続した手袋においては、手袋をはめて作業している間に、２枚のシートがはがれてしまうという問題や、手に対するフィット感がなく、作業性が悪いという問題があった。
【０００５】
この考案は上記のような問題点を解消するためになされたもので、丈夫で手に対するフィット感がよく、且つ作業性のよい手袋を提供することを目的とする。
【課題を解決するための手段】
【０００６】
この考案に係る手袋は、それぞれが分離された５本の指を個別に挿入可能な指挿入部と、指挿入部の下部に設けられた胴部とを含み、特殊配合されたポリエチレンを用いて製造されている。
【０００７】
好ましくは、手触りはシルクタッチである。
【０００８】
さらに好ましくは、手袋は伸縮性がよい。
【０００９】
さらに好ましくは、指挿入部の親指と人差し指とのなす形状はＬ字状である。
【考案の効果】
【００１０】
この考案に係る手袋は、特殊配合されたポリエチレンを用いて製造されているため、丈夫で手袋に対する手のフィット感がよく、且つ作業性がよい。
【図面の簡単な説明】
【００１１】
【図１】この考案に係る手袋の全体構成を示す図である。
【考案を実施するための形態】
【００１２】
図１はこの考案の一実施の形態に係る手袋を示す図である。図１を参照して、この考案に係る手袋１０は、それぞれが分離された、親指を挿入可能な親指挿入部１１と、人差し指を挿入可能な人差し指挿入部１２と、中指を挿入可能な中指挿入部１３と、薬指を挿入可能な薬指挿入部１４と、小指を挿入可能な小指挿入部１５と、これら５本の指の挿入部１１〜１５の下部に連続して形成された胴部１６とを含む。手袋１０は、特殊配合されたポリエチレンを用いて製造されている。
【００１３】
この手袋１０は、特殊配合により形成された軟質のポリエチレン製であるため、柔らかい。また、伸びが良いため、従来のポリエチレン製のものに比べて親指と人差し指の角度を「L」字状に広げることができ、親指と人差し指の開閉作業が非常に楽である。
【００１４】
したがって、手袋１０の装着時の作業性がよく、その作業性は通常の製法で製造されたディッピング手袋と同様である。
【００１５】
この手袋１０を用いれば、例えば、医療においては、手首の脈を計る場合においても手袋を構成するポリエチレンの厚さが十分薄いため、十分脈を認識可能であり、人の直腸へ指を挿入した場合であっても、その挿入部分の体温を十分認識可能である。
【００１６】
また、この手袋１０を用いれば、食品に異物が混入することなく、衛生的で、かつ、細かい作業が可能であるため食品業界においても十分利用可能である。
【００１７】
なお、この手袋１０の製造方法は、手袋の型を準備するステップと、型に特殊配合の軟質ポリエチレンを充填するステップとを含み、型の形状を、親指と人指し指とをＬ字状にすることによって可能で製造が可能である。
【００１８】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００１９】
この考案に係る手袋は、丈夫で手に対する手のフィット感がよく、且つ作業性がよいため、手袋として有利に使用される。
【符号の説明】
【００２０】
１０  手袋、１１  親指挿入部、１２  人差し指挿入部、１３  中指挿入部、１４  薬指挿入部、１５  小指挿入部、１６  胴部。
【図１】
0003171004.tif 000003
【手続補正書】
【提出日】平成23年8月8日(2011.8.8)
【手続補正１】
【補正対象書類名】実用新案登録請求の範囲
【補正対象項目名】全文
【補正方法】変更
【補正の内容】
【実用新案登録請求の範囲】
【請求項１】
それぞれが分離された５本の指を個別に挿入可能な指挿入部と、
指挿入部の下部に設けられた胴部とを含み、
ポリエチレンを用いて製造されている、手袋。
【請求項２】
手袋の手触りはシルクタッチである、請求項１に記載の手袋。
【請求項３】
手袋は伸縮性がよい、請求項１又は２に記載の手袋。
【請求項４】
前記指挿入部のうちの、親指挿入部と人差し指挿入部とのなす形状はＬ字状である、請求項１〜３のいずれかに記載の手袋。
(57)【要約】      （修正有）【課題】糸の先端を糊で固め針状に加工し、針孔に差し込み易くした糸を提供する。【解決手段】両切り木綿糸の糊付け部に近い部を紐３を結び束にし、長さ約６０センチの木綿糸の束を作る。束先端部の糸先端部は１本１本がばらばら状に細く尖らせて糊づけして固める。糸は先端部から１本ずつ引き抜いて使用する。針孔より細いので先端部が針孔に入り易い。少し入ったら手で引っ張って通す。【選択図】図１
0003171009.tif 000002
【実用新案登録請求の範囲】
【請求項１】
木綿糸の先端細く尖らして糊付け固め先端部が針孔に入り易い構造の糸
【考案の詳細な説明】
【技術分野】
【０００１】  本考案は、綿、手縫い糸を針孔にとうし易くするために両切りの木綿糸の一糊付固め先端を針状に尖らせ針孔に容易に糸をとうすための構造に関するものである。
【背景技術】
【０００２】針孔に糸をとうす方法の開発は針の構造の工夫や、そのための器具の開発が多いが、糸の先端を糊で固め針状に加工し、針孔に差し込み易くした糸は開発されていない、本考案に類似する製品も皆無である。
【考案の開示】
【考案が解決しようとする課題】
【０００３】本考案は細いミシン糸に比べ、木綿糸は、本縫い，ボタン、ホックづけ、補修などに丈夫な手縫い糸だが、太いため針孔にとうしづらく苦労する。本考案は糸先部を針孔に入り易く細く、糊ずけして固め、その難点を解決するためになされたものである。
【課題を解決するための手段】
【０００４】  木綿糸の先端部を細く尖らし、糊付け固め針孔に入り易い構造の糸。
【考案の効果】
【０００５】  両切り木綿糸の糊付け部に近い部を紐（３）結び束にする図［１］の（３）、長さ約６０センチの木綿糸の束になる、束先端部の糸先端部は１本１本がばらばら状に細く糊ずけ固める、糸は先端部から１本ずつ引き抜いて使用する。針孔より細いので先端部が針孔に入り易い。少し入ったら手で引っ張つてとうす、
【考案を実施するための最良の形態】
【０００６】  本考案は木綿糸の針先端を細く尖らして糊づけ固め、先端部が針孔に入り易い構造である。
【実施例】  図３で実施例を示す。
糸の束から糊付け部図［１］の（２）をつまんで１本を引き抜く、糊付け部の糸の細く尖った部（２）を針孔に差し込み、針孔から出たら手で引っ張つてとうす。（糊部分はとうした後切り捨てる）
【図面の簡単な説明】
【図１】  両端を切った木綿糸の斜視図（約６０センチ）
【図２】  糊づけ糸１本の斜視図
【図３】  本考案の実施の形態である。
【符号の説明】  （１）      木綿糸
（２）      糊付け固めた部の先端
（３）      糸の束ね
（４）      縫い針
（５）      針孔
【図１】
0003171009.tif 000003
【図２】
0003171009.tif 000004
【図３】
0003171009.tif 000005
(57)【要約】      （修正有） 【課題】簡単な構造で且つ、容易に携帯出来るペットボトルを提供する。【解決手段】飲料購入時のペットボトルのキャップの形状そのものが提げられる様に製造されている為、飲料水購入代金で賄える。腰ベルトに引っ掛け、携帯出来ることで、両手が自由に使え、作業などをする時に便利である。小さい鞄などその他の理由でペットボトルが収納出来ないときに、鞄に引っ掛けて持ち運べる。デスク横などのパーテーションに引っ掛けておける為、机の上を広く使え、ペットボトル転倒などの不安からも回避できる。【選択図】図２
0003171002.tif 000002
【実用新案登録請求の範囲】
【請求項１】
ペットボトルのキャップそのものの形状が、指を掛けて持ち歩いたり、ベルトや鞄などに引っ掛けて携帯したり、デスク周りのパーテンションに掛けたりして使う事を目的としたキャップに爪の付いているペットボトル。
【請求項２】
指を掛けて持ち歩いたり、ベルトや鞄などに引っ掛けて携帯したり、デスク周りのパーテンションに掛けたりして使う事を目的とした爪の付いているペットボトル本体容器。
【考案の詳細な説明】
【技術分野】
【０００１】
本考案は、ペットボトルのキャップに爪が付く事により、指、ベルト、鞄、パーテーションなどに提げる事を可能にしたペットボトルキャップに関するものである。
【背景技術】
【０００２】
ペットボトルは、軽量、元封状態の確認が可能であり、内容物が透けているため、
残量も容易に確認できる。幾つもの長所があるため急速に普及している。ペットボトルを持ち運ぶ人も多くなっている。ペットボトルを無くしては、飲料業界は成り立たないと言っても過言ではない状況である。
【考案の概要】
【考案が解決しようとする課題】
【０００３】
従来のペットボトルでは、携帯する際に鞄の中に入れるか、専用のホルダーケースなどに入れて持ち運ばなければならない。小さい鞄を持っている人、または鞄を有しない人にとっては不便である。専用ホルダーケースにしても、別に購入しなくてはならない。又、補助的な提げ具も別売りであるために金銭的な課題が残る。
【課題を解決するための手段】
【０００４】
上記の課題を解決する為に、本考案の提げられるペットボトルは飲料購入時のペットボトルのキャップの形状そのものが提げ用に製造されている為、上記の課題を解決できる。
【考案の効果】
【０００５】
購入時のペットボトルそのものが提げられる形状をしている為、手間などを有せず、金銭的にも飲料購入代金だけで済む。
【０００６】
図５で示すように手軽に持ち運びが出来る。図６で示すように腰ベルトに引っ掛け、携帯出来ることで、両手が自由に使え、作業などをする時に便利である。
図７で示すように小さい鞄などその他の理由でペットボトルが収納出来ないときに、鞄に引っ掛けて持ち運べる。図８で示すようにデスク横などのパーテーションに引っ掛けておける為、机の上を広く使え、ペットボトル転倒などの不安からも回避できる。
【０００７】
爪の範囲はペットボトル本体の幅を超える事無く作れるのでデザイン的にも優れ、自動販売機にも入機出来る。又、キャップと同じ素材であるため、見た目にも違和感はない。
【図面の簡単な説明】
【０００８】
【図１】本考案のペットボトルのキャップの蓋部分の形状を示す図であり、（イ）は斜め上から見た図で、（ロ）は正面図を示す。
【図２】図１のキャップの蓋が本体と結合しているペットボトルの全体図を示す。
【図３】ペットボトルの首部にあるキャップバンド部に爪が付いている拡大部分を示す。
【図４】ペットボトルのキャップの爪に指が掛かっている拡大図である。
【図５】ペットボトルのキャップの爪を指で引っ掛けて持ち歩く図。
【図６】ペットボトルのキャップの爪を腰のベルトに掛けて携帯している図。
【図７】ペットボトルのキャップの爪を鞄に引っ掛けて携帯している図。
【図８】ペットボトルのキャップの爪を机横のパーテーション引っ掛けている図。
【考案を実施するための形態】
【０００９】
添付の図１、図２、図３の図面に示した実施の形態により本考案を具体的に説明する。
【００１０】
図１、図２、図３の示す爪は先端を下に折り曲げており、引っ掛けた時の脱落から防ぐ。
【産業上の利用可能性】
【００１１】
本考案のペットボトルキャップは、工業的に量産する事が可能であるため、産業上の利用可能性を有する。
【図１】
0003171002.tif 000003
【図２】
0003171002.tif 000004
【図３】
0003171002.tif 000005
【図４】
0003171002.tif 000006
【図５】
0003171002.tif 000007
【図６】
0003171002.tif 000008
【図７】
0003171002.tif 000009
【図８】
0003171002.tif 000010
(57)【要約】      （修正有）【課題】球状のパーツ二つをクッション性のある台に並べて取り付け、その間にリング状装飾品を立てた状態で挟み、リング状装飾品の装着時はしっかりと安定し、取り外しはより簡単にできると共に、立てた状態で保持する事により一見して確認することのできるリング状装飾品の保持具を提供する。【解決手段】クッション性のある基台の上面に２個１組の球状保持パーツを、リング状装飾品を立てた状態で保持可能になるよう、互いに押し合う方向に付勢されると共に、リング押入時には、リングが通過可能幅に広がるよう装着する。【選択図】図２
0003171010.tif 000002
【実用新案登録請求の範囲】
【請求項１】
クッション性のある基台の上面に２個１組の球状保持パーツを、リング状装飾品を立てた状態で保持可能になるよう、互いに押し合う方向に付勢されると共に、リング押入時には、リングが通過可能幅に広がるよう装着したことを特徴とするリング状装飾品の保持具。
【考案の詳細な説明】
【技術分野】
【０００１】本考案はリング状装飾品、例えば指輪などを保持する保持具に関するものである。
【背景技術】
【０００２】現在流通している指輪等のケースは、スポンジやウレタンの様な素材に切り込みを入れて挟んだり、フック状のものに引っ掛けたり、筒状の物に通すものがほとんどである。そのため、オリジナリティーに乏しく、商品全体のデザインを一見して確認する事ができないものであった。
【考案の概要】
【考案が解決しようとする課題】
【０００３】球状のパーツ二つをクッション性のある台に並べて取り付け、その間にリング状装飾品を立てた状態で挟み、リング状装飾品の装着時はしっかりと安定し、取り外し時はより簡単にできると共に、立てた状態で保持する事により一見して確認するこ
とのできるリング状装飾品の保持具を提供することを目的とする。
【課題を解決するための手段】
【０００４】課題解決のため、クッション性のある基台の上面に２個１組の球状保持パーツを、リング状装飾品を立てた状態で保持可能になるよう、互いに押し合う方向に付勢されると共に、リング押入時には、リングが通過可能幅に広がるよう装着したことを特徴とするリング状装飾品の保持具を提供する。
【考案の効果】
【０００５】第一に本考案は、２個１組の球状保持パーツでリング状装飾品を挟む事により立てた状態で保持するため、商品に触れる事なく全体のデザインを見る事ができる。第二に、球状保持パーツや基台となる部分の素材や大きさ、色などを変える事によって限りないデザインの可能性があり、オリジナリティーの追求ができる。その上、汎用品の組み合わせで製作する事ができるので、商品デザインに合わせて変更でき、ラッピングと同様に商品を引き立てる演出の一部として利用する事ができる。
【図面の簡単な説明】
【０００６】
【図１】リング状装飾品の保持具と指輪の関係を示す図であって、（Ａ）は保持前を示し（Ｂ）は保持に至る途中状態を示す。
【図２】指輪保持中のリング状装飾品の保持具を示す図であって、（Ａ）は側面斜視図で、（Ｂ）は正面図で、（Ｃ）は平面図である。
【図３】リング状装飾品の保持具がリングピローである例を示す説明図。
【図４】リング状装飾品の保持具が指輪ケースである例を示す説明図。
【考案を実施するための形態】
【０００７】  以下、図示の実施例に従って説明する。
図１中符号４はリング状装飾品であり、図示の実施例では、指輪が示されている。立てて保持できるリング状装飾品であれば、指輪に限定されず、ブレスレットの様なものであってもよい。図１（Ａ）は指輪保持前を示す図であり、指輪を球状保持パーツ１に挟む途中を示す図が、図１（Ｂ）である。尚、図１中符号２は、糸やテグスなどを用いた取付材であって、玉状保持パーツ１を貴台３に取り付ける材料である。
【０００８】  図２は指輪保持中のリング状装飾品の保持具をさまざまな角度から示した図であり、（Ａ）は側面から見た図で（Ｂ）は正面から見た図で（Ｃ）は上から見た図である。図３は、基台３部分を布製クッションにし、リング状装飾品４の保持具をリングピローにした時の使用例である。図４は基台３部分を布製クッションにし、開閉可能な箱に入れる事により、リング状装飾品４の保持具を指輪ケースにした時の使用例である。
【産業上の利用可能性】
【０００９】    本考案は、宝石箱、指輪ケース、ブレスレットケース、リングピロー、ディスプレイ用品として利用する。
【符号の説明】
【００１０】  １．球状保持パーツ
２．取付材
３．基台
４．リング状装飾品
【図１】
0003171010.tif 000003
【図２】
0003171010.tif 000004
【図３】
0003171010.tif 000005
【図４】
0003171010.tif 000006
(57)【要約】      （修正有）【課題】エンジン及びモータ−を利用する機関に簡易に発電機が設置出来、且つ当該機関の可動部品の可動エネルギ−を利用して発電機を稼働させる。この場合、発電機を稼働させる仕組みは先ず発電機を稼働し易い構造を有している回転物体を設置、該回転物体に発電機を付設、回転物体の駆動力を利用して発電機を稼働する発電機を効率良く簡易に稼働させるのに最適な仕組みを提供する。【解決手段】発電機９を一定の回転力を有する回転物体８に接続し可動させる。具体的にはエンジン１と、エンジンに接続され回転する動力伝達シャフト２と、該動力伝達シャフトの動力を差動ギア５で転換し、付設してある回転物体と、該回転物体の回転により稼働する発電機と、を有する発電システム。【選択図】図１
0003171015.tif 000002
【実用新案登録請求の範囲】
【請求項１】
エンジンと、
前記エンジンに接続され回転する動力伝達シャフトと、
前記動力伝達シャフトに付設してある回転物体と、
前記回転物体の回転により稼働する発電機と、を有する発電システム。
【考案の詳細な説明】
【技術分野】
【０００１】  本考案は、発電システムに関する。
【背景技術】
【０００２】  回転型発電機を駆動する場合、その駆動手段として車両の車輪、車軸の駆動力、風力等を活用する方法がある。
【先行技術文献】
【特許文献】
【特許文献】実用新案登録第３０７５６３４号
【０００３】
【特許文献１】
【考案の概要】
【考案が解決しようとする課題】
【０００４】  以上の技術によれば回転型発電機の効率良い可動は容易ではない。【０００５】  そこで、上記課題を解決する為に発電機を効率良く簡易に可動させるのに最適な仕組を提供する。
【課題を解決する手段】
【０００６】  本件考案は、エンジンと、エンジンの動力伝達シャフト（車軸駆動用）に差動ギアで接続され回転する動力伝達シャフト（回転物体駆動用）と、前記動力伝達シャフトに付設してある回転物体と、回転物体の回転により稼働する発電機と、を有する発電システムである。
【考案の効果】
【０００７】  本考案によれば発電機の可動には自動車及び船舶のエンジンで駆動する動力伝達シャフトの回転力を活用する構成になっているので発電機可動の為に別途エネルギ−を必要としない。
【図面の簡単な説明】
【０００８】
【図１】実施形態に係る発電システムの概略を示す図である。
【考案を実施する為の形態】
【０００９】  図１は、本実施形態にかかる回転物体の配置を示す図である。本実施形態の回転物体には発電機を付設してある。
【００１０】  本図で示すように、本実施形態にかかる回転物体８はエンジン１の可動に伴い動力伝達シャフト２、７を介して回転、回転物体８の回転により発電機９を稼働させる。
【００１１】  本実施形態において、回転物体８は発電機９に接続しエンジン１と、動力伝達シャフト２、７と、差動ギア６の各部材の可動により発電機９を稼働させる機能を果たす。
【００１２】  本実施形態において動力伝達シャフト２の機能は車両の走行及び船舶等の推進の為に利用されるので発電機可動の為と兼用となっている、動力伝達シャフト７は動力伝達シャフト２の動力を回転物体に動力を伝達する為に使用される。
【００１３】  本実施形態において差動ギア６は動力伝達シャフト２の動力を動力伝達シャフト７に動力を伝達する為に使用される。
【００１４】  以上、本考案により、エンジン、モ−タ−等で稼働する機関に設置する回転型発電機は効率良い可動が可能となる。
【符号の説明】
【００１５】１−エンジン，２−動力伝達シャフト，３−差動ギア，４−電気モ−タ−
５−差動ギア，６−差動ギア，７−動力伝達シャフト
８−回転物体、９−発電機、１０−前車輪、１１−後車輪、１２−倉庫
１３−車軸
【図１】
0003171015.tif 000003
(57)【要約】      （修正有）【課題】型枠に使用する縦端太パイプの転倒を防止し作業の工程を少なくし、又、材料の無駄を省く、縦端太パイプの固定器具を提供する。【解決手段】湾曲した保持部１と、保持部に設けられた固定部２からなる。固定部の鋭利な尖端６の頭部を、ハンマーで堰板に打ち込み縦端太パイプに保持部を装着する。【選択図】図１
0003171020.tif 000002
【実用新案登録請求の範囲】
【請求項１】
型枠の堰板に縦端太パイプを固定する器具であって、縦端太パイプの外周に対応して湾曲に曲げた鉄筋及び適宜の材料から成る保持部と、この保持部に設けられた固定部とから構成され、固定部に鋭利な尖端を設け堰板にこの鋭利な尖端を打ち込み、器具を固定し、保持部で縦端太パイプを押さえ転倒を防止するように構成されている、ことを特徴とする縦端太パイプの固定器具。
【請求項２】
保持部と固定部をピンで回転可能に連結し、保持部の逆行を防止するため保持部を縦端太パイプ側に附勢するキックバネを設けたことを特徴とする、請求項１に記載の縦端太パイプの固定器具。
【考案の詳細な説明】
【技術分野】
【０００１】本考案は、型枠に使用する縦端太パイプに固定する器具である。
【背景技術】
【０００２】型枠に使用する縦端太パイプは、堰板に釘を打ち釘に結束線を絡ませその結束線で堰板に係止し、転倒を防止している。
【考案の概要】
【考案が解決しようとする課題】
【０００３】型枠にコンクリートを打ち込む時に、堰板の変形を防止するため縦端太パイプを堰板に固定器具で転倒しないように固定させ、縦端太パイプと横端太パイプをホームタイで固着する、この工程で従来の作業は堰板に釘を打ち結束線で縦端太パイプを結き転倒を防止していた、このような作業は能率が悪い又使用後は廃棄物として処分するので材料に無駄が生じる、本考案はこの欠点を解決しようとするものである。
【課題を解決するための手段】
【０００４】縦端太パイプの転倒を防止する固定器具は、鉄筋及び適宜の材料を縦端太パイプの外周に応じて湾曲に曲げ、保持部と固定部を形成し固定部に鋭利な尖端を設ける、この頭部をハンマーで堰板に打ち込み器具を固定させる、縦端太パイプに器具を装着する時にキックバネで保持部の逆行を防止する、固定部の頭部をバール又は釘抜きハンマー等で堰板から抜き取ることで器具は再度使用できるので材料に無駄が生じない、従って問題を解決することができる。
【考案の効果】
【０００５】本考案の器具を使用することにより、従来の作業より工程が少なく簡単に縦端太パイプに固定器具を装着できるので仕事の能率が良い又、器具も再度使用できるので廃棄物も少なく材料に無駄がない。
【図面の簡単な説明】
【０００６】
【図１】縦端太パイプを固定する固定器具を示す図である。
【図２】固定器具の分解図である。
【図３】堰板に鋭利な尖端を打ち込み保持部を開いた状態を示す図。
【図４】縦端太パイプに固定器具を装着した状態を示す図。
【考案を実施するための最良の形態】
【０００７】縦端太パイプを立てる位置に、器具の固定部の鋭利な尖端の頭部をハンマーで堰板に打ち込み堰板に器具を固定する、次に縦端太パイプを立て保持部で押さえることでパイプの安定を計り転倒を防止する。
【実施例】
【０００８】添付図に従って説明する、１の保持部は鉄筋及び適宜の材料を縦端太パイプの外周に応じて湾曲に曲げる、６の鋭利な尖端の頭部を１０のハンマーで９の堰板に打ち込み器具を固定させる。【０００９】固定した器具１の保持部の先端を開き、８の縦端太パイプを立て器具を装着する、この時縦端太パイプ側に附勢するキックバネで保持部の逆行を防止する、縦端太パイプに器具を装着することで、振動その他の衝撃等から転倒を防止することができる。【００１０】型枠を解体する時に、６の頭部をバール又は釘抜きハンマーで抜き取ることで固定器具は何回も使用できる。
【符号の説明】
【００１１】１固定器具の保持部
２固定器具の固定部
３ピンを挿入の貫通孔
４キックバネ
５バネを通す貫通孔
６固定部の鋭利な尖端
７ピン
８縦端太パイプ
９堰板
１０ハンマー
１１横端太パイプ
１２ホームタイ
【図１】
0003171020.tif 000003
【図２】
0003171020.tif 000004
【図３】
0003171020.tif 000005
【図４】
0003171020.tif 000006
(57)【要約】      （修正有）【課題】自転車の車輪を容易に固定でき、駐輪スペースが少なくてすむ自転車車輪固定具を提供する。【解決手段】斜めフレーム引っ掛け部２の両側に側面部３を備えたコの字型に構成し、両側の側面部の間隔は先端方向に狭められ、車輪を挟んで車輪を固定し、両側の側面部３の先端付近に丸穴を開け、この穴にチェーン錠を通して施錠する。【選択図】図１
0003171098.tif 000002
【実用新案登録請求の範囲】
【請求項１】
斜めフレーム引っ掛け部２の両側に側面部３を備えたコの字型に構成し、両側の側面部の間隔は先端方向に狭められ、車輪を挟んで車輪を固定することを特徴とする自転車車輪固定具。
【請求項２】
両側の側面部３の先端付近に丸穴を開け、この穴にチェーン錠を通して施錠するようにしたことを特徴とする請求項１記載の自転車車輪固定具。
【請求項３】
斜めフレーム引っ掛け部２の内側にテープ状の磁石５を貼り付け、前輪の場合は、自転車の斜めフレームに自転車車輪固定具を磁石で吸着して固定して前輪を挟み、後輪の場合は、自転車の後輪カバーに自転車車輪固定具を磁石で吸着して固定して後輪を挟むようにしたことを特徴とする請求項１記載の自転車車輪固定具。
【考案の詳細な説明】
【技術分野】
【０００１】
自転車が駐輪の場合、前輪又は後輪が左右に曲がるのを防ぐ自転車車輪固定具に関する。
【背景技術】
【０００２】
自転車を駐輪するとき、前後の車輪が左右に曲がり不安定でしばしば倒れ、又左右に曲がるとスムーズな出し入れの妨げになっていた。これを解決する方法として、自転車本体と車輪を紐で結んだりしており、車輪を固定するのに手間がかかっていた。
【先行技術文献】
【特許文献】
【０００３】
【特許文献１】実開平02-121500公報
【考案の概要】
【考案が解決しようとする課題】
【０００４】
１）自転車を駐輪するときに、前後の車輪が左右に曲がると駐輪スペースがいる。
２）自転車を駐輪するときに、前後の車輪が左右に曲がり不安定でしばしば倒れる。
３）また、前後の車輪が左右に曲がっていると、隣の自転車に引っかかり、出し入れがしにくい。
【課題を解決するための手段】
【０００５】
斜めフレーム引っ掛け部２の両側に側面部３を備えたコの字型に構成し、両側の側面部の間隔は先端方向に狭められ、車輪を挟んで車輪を固定することを特徴とする自転車車輪固定具。
【０００６】
両側の側面部３の先端付近に丸穴を開け、この穴にチェーン錠を通して施錠するようにしたことを特徴とする自転車車輪固定具。
【０００７】
斜めフレーム引っ掛け部２の内側にテープ状の磁石５を貼り付け、前輪の場合は、自転車の斜めフレームに自転車車輪固定具を磁石で吸着して固定して前輪を挟み、後輪の場合は、自転車の後輪カバーに自転車車輪固定具を磁石で吸着して固定して後輪を挟むようにしたことを特徴とする自転車車輪固定具。
【考案の効果】
【０００８】
１）自転車の前後の車輪を前向きに容易に即座に固定できる。
２）駐輪スペースが少なくてすむ。
３）自転車の出し入れがし易い。
４）駐輪するときに、他の自転車に傷をつけない。
【図面の簡単な説明】
【０００９】
【図１】本考案の自転車車輪固定具の構成
【図２】本考案の自転車車輪固定具の使用例
【考案を実施するための形態】
【００１０】
図１は、本考案の自転車車輪固定具の構成を示す。
当考案の自転車車輪固定具１は、斜めフレーム引っ掛け部２と側面部３からなり、斜めフレーム引っ掛け部２の両側に側面部３備えたコの字型に構成している。二つの側面部の間隔は先端方向に狭められ、車輪を挟めるようにしている。
例えば、自転車車輪固定具１は塩化ビニールなどの樹脂製の厚さ５ｍｍ、巾１２ｃｍ、長さ６５ｃｍの板を加工してコの字型に曲げる。側面部の長さは、車輪がしっかり挟める長さ、例えば３０ｃｍにする。
両側の側面部の先端付近にそれぞれ穴４を設け、チェーン錠などを通して施錠できるようにしてもよい。
斜めフレーム引っ掛け部２の内側にテープ状の磁石５を貼り付け、車輪を固定する自転車車輪固定具を自転車の斜めフレームに装着したときに、自転車車輪固定具１が磁石で、斜めフレームに固定するようにしている。
【００１１】
図２は、本考案の自転車車輪固定具の使用例で、前輪を固定する場合を示す。
自転車車輪固定具１を、側面部の先端部から自転車の斜めフレーム７に跨るように挿入し、車輪に到達させ、２つの側面部の先端付近で車輪を挟んで固定する。
両側の側面部の先端付近に備えた穴４にチェーン錠を通して施錠する。
【００１２】
自転車車輪固定具で、後輪を固定する場合は、後輪カバーから、後輪に向けて自転車車輪固定具を挿入して、後輪を挟みこみ、穴４にチェーン錠を通して、同様に簡単に施錠できる。
【００１３】
自転車車輪固定具を不使用時は、自転車車輪固定具を斜めフレームの下部に移動することにより安定し走行を妨げることはない。
【産業上の利用可能性】
【００１４】
本考案物件が各自転車に広く取り付けられる事により駐輪に於いて整然と置かれ、その出し入れも簡単にスムーズになる。
【符号の説明】
【００１５】
１    自転車固定具
２    斜めフレーム引っ掛け部
３    側面部
４    穴
５    磁石
６    自転車本体
７    斜めフレーム
８    車輪
９    チェーン錠
１０  後輪カバー
【図１】
0003171098.tif 000003
【図２】
0003171098.tif 000004
(57)【要約】      （修正有）【課題】大地震で大きな力が加わった場合でも、野縁受や野縁の衝突による柱や壁の損傷を防ぎ、外壁の脱落を防ぐことができる、天井鋼製下地材の小口塞ぎ金物を提供する。【解決手段】野縁又は野縁受の小口に組み合わせるためのジョイント部２と、板状の小口塞ぎ部３を備える。小口塞ぎ部のジョイント部と反対側にクッション材４を設ける。【選択図】図１
0003171664.tif 000002
【実用新案登録請求の範囲】
【請求項１】
野縁又は野縁受の小口に組み合わせるためのジョイント部と、板状の小口塞ぎ部を備えていることを特徴とする天井鋼製下地材の小口塞ぎ金物
【請求項２】
請求項１に記載の小口塞ぎ金物において、前記小口塞ぎ部のジョイント部と反対側にクッション材を設けたことを特徴とする天井鋼製下地材の小口塞ぎ金物
【請求項３】
請求項１又は請求項２の小口塞ぎ金物において、野縁と組み合わせるためのジョイント部が野縁にスライド可能な差込形状となっていることを特徴とする天井鋼製下地材の小口塞ぎ金物
【請求項４】
請求項１又は請求項２の小口塞ぎ金物において、野縁受と組み合わせるためのジョイント部が野縁受に対してスライド可能な挟み込み形状となっていることを特徴とする天井鋼製下地材の小口塞ぎ金物
【考案の詳細な説明】
【技術分野】
【０００１】
本考案は、天井下地材の一部である野縁や野縁受がボード壁を突き抜けないようにするための金具に関する。
【背景技術】
【０００２】
１９８１年以降に設計された建物は、新耐震設計法で建てられているため、震度6程度では崩壊せず、避難が可能と想定されている。そのため大地震でも骨組の損傷は少なくなっているが、非構造部材と呼ばれる天井の崩落や壁が倒れることで、死傷者や避難を遮断する被害が目立つようになった。
【０００３】
この難題を解決すべく、特許文献１や特許文献２で、天井の揺れを小さくすることが可能となるが、野縁や野縁受の小口と壁の間は、国土交通省のガイドラインで、壁際に隙間をあけるように「技術的助言」として通達されている。しかし、天井が揺れれば鋼製下地の野縁や野縁受の小口が、壁に衝突するため、ＡＬＣ板やボード壁などの比較的軟らかい壁に被害が発生した。従って、壁を衝撃から保護する小口塞ぎを提供することである。
【先行技術文献】
【特許文献】
【０００４】
【特許文献１】特許第４４６７５９２号公報
【特許文献２】実願２０１１−００４４３０号
【考案の概要】
【考案が解決しようとする課題】
【０００５】
天井材を留める野縁と、その上部に立体交差している野縁受の小口が、大地震の揺れによりＡＬＣ板やボード壁を突き抜け、上階の外壁が脱落する被害があり、技術的な改善が必要となった。
【課題を解決するための手段】
【０００６】
請求項１の考案によれば、野縁や野縁受の小口のままでは、軟らかい壁に硬い金属製の野縁や野縁受が比較的小さい力でも刺さってしまうが、板状の小口塞ぎ部で壁に当る面積が増えることにより容易には刺さらなくなる。
【０００７】
請求項２の考案によれば、板状の小口塞ぎ部にクッション材を取り付けることにより、軟らかい壁を傷つけなくてすむ。
【０００８】
請求項３及び請求項４の考案によれば、地震で野縁や野縁受が揺れた場合でも、スライド可能な構造になっているため、本考案の金具が落下せず施工時にも取り付けが容易である。
【考案の効果】
【０００９】
本考案によれば、小口塞ぎ金物を野縁および野縁受の小口に挿入することで、柱や壁の損傷や壁の脱落を防止することが可能となる。    
【図面の簡単な説明】
【００１０】
【図１】本考案の野縁へ適応した場合の実施形態を示す平面図である。
【図２】本考案の野縁へ適応した場合の側面からの説明図である。
【図３】本考案の野縁へ適応した場合の実施形態を示す垂直方向の図である。
【図４】本考案の野縁受へ適応した場合の実施形態を示す平面図である。
【図５】本考案の野縁受へ適応した場合の側面からの説明図である。
【図６】本考案の野縁受へ適応した場合の実施形態を示す垂直方向の図である。
【考案を実施するための形態】
【００１１】
以下に本考案の実施の形態を添付図面に基づいて説明する。
本考案の天井鋼製下地材の小口塞ぎ金物を説明する。天井鋼製下地材の小口塞ぎ金物は野縁や野縁受と組み合わせるためのジョイント部２と壁などに衝突する面積を増加させるための板状の小口塞ぎ部３で構成される。ジョイント部２と小口塞ぎ部３は0.5ｍｍ程度の鋼製の板で作られ、スポット溶接で溶接される。小口塞ぎ部３の鋼製の板は野縁又はダブル野縁に用いる場合、高さ方向は野縁と同じであるが、横方向は野縁又はダブル野縁の2倍程度が望ましい。更に、板状の小口塞ぎ部３にクッション材４を貼り付けることによりボード壁を傷めることがない。クッション材４には、難燃性がありクッション性もある材質として、押出ポリスチレンに難燃剤を添加したものを用いるとよい。本考案の天井鋼製下地材の小口塞ぎ金物を野縁受に使用する場合は小口塞ぎ部３の大きさは、縦横共に野縁の断面より少し大きい程度でよい。
【００１２】
ジョイント部２は野縁と野縁受に用いる場合で異なった形状が望ましい。野縁又はダブル野縁に用いる場合は、野縁の左右のレール状になっている部分に差し込む形状が取り付け作業では便利である。野縁受に用いる場合は左右のレール状の形状が野縁受に無いため、ジョイント部２は野縁受を挟み込む形状となっている。これにより、野縁や野縁受のどちらでも、ワンタッチではめ込むことができるので、取り付け作業は非常に簡単である。しかも、大地震により野縁や野縁受が揺れた場合でも、ジョイント部２がスライドできる構造になっているので、簡単に脱落してしまうことがない。
【産業上の利用可能性】
【００１３】
本考案によれば、大地震で大きな力が加わった場合でも野縁受や野縁の衝突による柱や壁の損傷を防ぎ、外壁の脱落を防ぐことができる。
【符号の説明】
【００１４】
１          小口塞ぎ金物
２          ジョイント部
３          小口塞ぎ部
４          クッション材
５          ボード壁
６          野縁又はダブル野縁
７          野縁受
【図１】
0003171664.tif 000003
【図２】
0003171664.tif 000004
【図３】
0003171664.tif 000005
【図４】
0003171664.tif 000006
【図５】
0003171664.tif 000007
【図６】
0003171664.tif 000008